(57)【要約】      （修正有）【課題】ゴルフでボールをジャストミートすることは難しい。手元のシャフトの延長線上に打点や重心があるような感覚と意識を植え付け、重心のコントロール性を高めることで効率のよいスイングを身につけることができる練習器具を提供すること。【解決手段】一方が手元、他方がスイートスポットから重心付近を指すもう一つ別の仮想シャフトをゴルフクラブに装着し、スイングの練習をすることでボールのミート率を上げるものである。ヘッドの付いていないシャフトに前記仮想シャフトを装着した練習具もあり、先端側より手元側が重くなるように、手元側にウエイトが装着されている。また前記仮想シャフトにはオフセットした状態でウエイトが付いているものもあり、これで練習すると重心のコントロール性を養うことができる。【選択図】図５
2006326269.tif 000002
【特許請求の範囲】
【請求項１】
ゴルフクラブのシャフトに沿って、所定の長さの仮想シャフトを装着し、その仮想シャフトの両端は一方が手元、他方がクラブヘッドのスイートスポットから重心付近を指すことを特徴とするゴルフクラブ。
【請求項２】
前記仮想シャフトは、ゴルフクラブのシャフトに対し任意に角度調節、取り外し可能である請求項１に記載のゴルフクラブ。
【請求項３】
前記仮想シャフトの先端に、視覚に訴えるマークを備え、当該マークは、発光体、反射テープ、蛍光塗料の塗布体の少なくともいずれかからなり、マークによりスイング軌道が視認できる請求項１に記載のゴルフクラブ。
【請求項４】
前記仮想シャフトは伸縮自在で、その長さが調節でき、仮想シャフトのクラブヘッド側端部がクラブヘッドから退避し、クラブヘッドで実際にボールが打てる請求項１に記載のゴルフクラブ。
【請求項５】
仮想シャフトは、金属パイプ、プラスチックパイプ、カーボンパイプ、伸縮可能なパイプ、スプリング、ゴムひも、糸ひも、ロープ、レーザー光線、ライトの光のいずれかからなる請求項１に記載のゴルフクラブ。
【請求項６】
ゴルフクラブのシャフトへの取り付け具を有し、この取り付け具により、前記ゴルフクラブのシャフトに着脱自在とした仮想シャフトからなり、取り付け具によるシャフトへの装着時に、仮想シャフトの一端が手元、他端がクラブヘッドのスイートスポットから重心付近を指すことを特徴とする練習器具。
【請求項７】
グリップ付きの２本のシャフトを、グリップと反対側の先端で互いに連結してなり、その結果、両端がゴルフグリップとなっている練習用シャフト。
【請求項８】
両端で重さが違い、一方のグリップを握ったときと、他方のグリップを握ったときとで、バランスを変えて練習ができる請求項７に記載の練習用シャフト。
【請求項９】
先端に視覚に訴えるマークを備え、当該マークは、発光体、反射テープ、蛍光塗料の塗布体の少なくともいずれかからなり、マークによりスイング軌道が視認できる請求項７に記載の練習用シャフト。
【請求項１０】
クラブヘッドの付いていないゴルフクラブのシャフトに沿って、所定の長さの仮想シャフトを装着し、前記仮想シャフトの両端は一方が手元、他方が本来付いているはずのクラブヘッドのスイートスポットから重心付近を指すことを特徴とする仮想シャフト付き練習用シャフト。
【請求項１１】
前記仮想シャフト先端に、衝撃を吸収するためのゴム製の干渉具を備える請求項１０に記載の仮想シャフト付き練習用シャフト。
【請求項１２】
前記仮想シャフト先端に視覚に訴えるマークを備え、当該マークは、発光体、反射テープ、蛍光塗料の塗布体の少なくともいずれかからなり、マークによりスイング軌道が視認できる請求項１０に記載の仮想シャフト付き練習用シャフト。
【請求項１３】
前記仮想シャフト及び前記ゴルフクラブシャフト先端に、取り外し可能であるウエイトを備え、前記ウエイトの重さを調節することで、バランスを変えて練習ができる請求項１０に記載の仮想シャフト付き練習用シャフト。
【請求項１４】
前記ゴルフクラブシャフトのグリップ側の重量を先端側より重くした請求項１０に記載の仮想シャフト付き練習用シャフト。
【請求項１５】
前記仮想シャフト先端付近に、前記仮想シャフト中心軸からオフセットさせた位置にウエイトを装着し、実際のゴルフクラブにおけるシャフト中心軸と重心位置とのオフセットに起因するバランスを体感しながら、重心のコントロールを意識して練習ができる請求項１０に記載の仮想シャフト付き練習用シャフト。
【請求項１６】
クラブヘッドの付いていないゴルフクラブのシャフトに、オフセットした状態でクラブヘッドを装着し、前記ゴルフクラブのシャフトから任意に重心距離の調節ができる練習用ゴルフクラブ。
【請求項１７】
数センチメートル程度の棒を備え、ゴルフクラブのシャフトの先端付近に前記シャフトとほぼ垂直となるように取り付け、その先端はヘッドの重心上を指すことで、ヘッドの重心角を視認できる練習具。
【請求項１８】
ゴルフクラブのヘッドの重心角が視認できるように、ホーゼルの根元と重心とを結ぶように貼り付けるシール。
【発明の詳細な説明】
【技術分野】
【０００１】    本発明は練習用ゴルフクラブ及びゴルフの練習器具に関するものである。
【背景技術】
【０００２】    ゴルフクラブは、シャフトの先端にクラブヘッドが取り付けられているが、そのスイートスポットはシャフトの中心軸から偏っている。このようなゴルフクラブでボールをジャストミートすることは難しい。その原因をクラブヘッドのスイートスポットがシャフトの中心線から離れていることにあると考える。つまり図１に示すように、クラブフヘッドがシャフトに対しオフセットしてついているため、打点がシャフトの延長線上に無いからということである。【０００３】    人間の感覚としては手元の延長線上に打点があることが自然である。つまり図２に示すように通常の箸は対象物をつかむ先端が手元から一直線なため、対象物をつかむときなんら苦労を要しない。しかし図３に示すような箸の場合、手元と実際に対象物をつかむ先端が直線上に無いため、対象物を上手くつかむには訓練と慣れを必要とする。次に図４に示すような箸があったとすると、この箸は形状は複雑だが手元と対象物をつかむ先端は直線上を外れないため、バランス上の難しさはあるが図３と比べると比較的容易に対象物をつかむことができる。【０００４】    つまり手元と、対象に直接接する点とが一直線上にあれば、その作業は容易であると考えられる。【０００５】    そこでゴルフの場合、シャフトの位置とずれて打点となるクラブフェイスがあるため、手元の延長線上であるシャフトの先端がボールの手前を通過することで正しくボールが打てる。ここで実際の目標であるボールに対したとき、その目標とずれた手前をスイングしなければならないことにゴルフの難しさがある。【０００６】    さらにゴルフクラブの重心もシャフトの中心軸からずれている。この重心をスイング中コントロールすることもゴルフにおいて難しいことである。【０００７】    なお、関連する先行技術文献として次のような文献がある。
【特許文献１】        特開２０００−５３５８
【発明の開示】
【発明が解決しようとする課題】
【０００８】    つまりそのオフセットをイメージ上でもゼロにすること、及び重心がコントロールできれば比較的容易にボールをミートできる。【０００９】    すなわち本発明は、クラブを握る手元とスイートスポットから重心付近が、あたかも直線で延長線上にあるかのように目から脳に情報を伝達すること、及び重心のコントロール性を高めることをその要旨とする。つまり手元のシャフトの延長線上に打点や重心があるような感覚と意識を植え付け、重心のコントロール性を高めることで効率の良いスイングを身に付けることができる練習用ゴルフクラブ及び練習器具を提供することを目的とする。
【課題を解決するための手段】
【００１０】    上記の目的を達成するため、ゴルフクラブのシャフトに沿って、所定の長さの仮想シャフトを装着し、その仮想シャフトの両端は一方が手元、他方がクラブヘッドのスイートスポットから重心付近を指すことを特徴とするゴルフクラブを提供する。【００１１】    前記仮想シャフトは、ゴルフクラブのシャフトに対し任意に角度調節、取り外し可能である。また前記仮想シャフトの先端に、視覚に訴えるマークを備え、当該マークは、発光体、反射テープ、蛍光塗料の塗布体の少なくともいずれかからなり、マークによりスイング軌道が視認できるものである。さらに前記仮想シャフトの中には伸縮自在で、その長さが調節でき、仮想シャフトのクラブヘッド側端部がクラブヘッドから退避し、クラブヘッドで実際にボールを打つことができるものもある。【００１２】    そして前記仮想シャフトの種類は、金属パイプ、プラスチックパイプ、カーボンパイプ、伸縮可能なパイプ、スプリング、ゴムひも、糸ひも、ロープ、レーザー光線、ライトの光などがあり、どれも効果は同じである。【００１３】    また通常のゴルフクラブに装着して、前記ゴルフクラブと同様の機能を持ち、同様の効果を生む、仮想シャフトとクラブへの取り付け具からなる練習器具も提供する。【００１４】    すなわち、ゴルフクラブのシャフトへの取り付け具を有し、この取り付け具により、前記ゴルフクラブのシャフトに着脱自在とした仮想シャフトからなり、取り付け具によるシャフトへの装着時に、仮想シャフトの一端が手元、他端がクラブヘッドのスイートスポットから重心付近を指すことを特徴とする練習器具である。【００１５】    また事前の練習用として、グリップ付きの２本のシャフトを、グリップと反対側の先端で互いに連結してなり、その結果、両端がゴルフグリップとなっている練習用シャフトも提供する。【００１６】    ここで、その両端で重さが異なるようにウエイトを少なくとも一方のグリップ側に取り付ける等し、一方のグリップを握ったときと、他方のグリップを握ったときで、バランスを変えて練習ができるようにするとよい。【００１７】    また、先端に視覚に訴えるマークを備え、当該マークは、発光体、反射テープ、蛍光塗料の塗布体の少なくともいずれかからなり、マークによりスイング軌道も視認できる練習用シャフトもある。【００１８】    さらに、クラブヘッドの付いていないゴルフクラブのシャフトに沿って、所定の長さの仮想シャフトを装着し、前記仮想シャフトの両端は一方が手元、他方が本来なら付いているクラブヘッドのスイートスポットから重心付近を指している仮想シャフト付き練習用シャフトも提供する。そして前記仮想シャフト先端には、衝撃を吸収するためのゴムなどの干渉具を備える。【００１９】    さらに、前記仮想シャフト先端に視覚に訴えるマークを備え、当該マークは、発光体、反射テープ、蛍光塗料の塗布体の少なくともいずれかからなり、マークによりスイング軌道が視認できるものもある。【００２０】    また前記仮想シャフト及び前記ゴルフクラブのシャフト先端付近あるいは手元側付近に、取り外し可能であるウエイトを備え、前記ウエイトの重さを任意に調節することで、バランスを変えて練習できるものもある。特に、前記ゴル���クラブのシャフトの手元側を先端側より極端に重くしたものは、先端側の重さや慣性に影響されない理想的なスイングを習得できる。【００２１】    さらには前記仮想シャフト先端付近に、前記仮想シャフトの中心軸から故意にオフセットしてウエイトを装着しているものもある。これによって、通常のゴルフクラブと同様のウエイトバランスとなり、ゴルフクラブにおけるシャフト中心軸と重心とのオフセットから発生するゴルフスイング最大の課題である重心のコントロール性を養うことができる。【００２２】    またクラブヘッドの付いていないゴルフクラブのシャフト先端に、オフセットした状態でクラブヘッドを装着し実際にボールを打てるものもある。つまり前記クラブヘッドのの付いていないゴルフクラブのシャフトの中心軸から、通常のゴルフクラブよりさらに重心距離が長くなることとなり、効果的に重心のコントロール性を身に付けることができる。【００２３】    また、スイング時に重心位置を常に視認できるように、数センチメートル程度の棒を備え、ゴルフクラブのシャフトの先端付近に前記シャフトと垂直となるように取り付け、その先端はヘッドの重心上を指す練習具も提供する。【００２４】    さらにゴルフクラブのヘッドの重心角が視認できるように、ホーゼルの根元と重心とを結ぶように貼り付けるシールも提供する。
【発明の効果】
【００２５】    本発明の前記練習用クラブあるいは前記練習器具、前記仮想シャフト付き練習用シャフトで練習すると、手元の延長線上でボールを打つ感覚になるため、格段にミート率が上がる。通常ボールに集中しすぎるとゴルフクラブのシャフトの先端でボールを打ってしまうことが多くある。いわゆるゴルフ用語でいうところのソケットやシャンクである。理由は、自然と手元の延長線上でボールを打とうと身体が反応するからである。しかし仮想シャフトをイメージしてスイングするとそのようなミスは減り、ボールに集中すればするほどミート率が上がる。【００２６】    またアドレス時に、スイートスポットから飛球線前方にボール１個分程度先に、前記仮想シャフトのクラブヘッド側端部をボールに合わせて構えると、インパクトに理想的な構えとなりやすい。つまりハンドファーストの形でインパクトを迎える練習もできる。【００２７】    さらに、シャフトに対してヘッドがオフセットしてついているため、スイング時にクラブのバランスは不安定となり、スイングが乱れることがある。しかし前記仮想シャフトの装着により重心のバランスが改善され、またそれに意識を集中することによって、視覚からもたらされる従来のクラブオフセットの影響が緩和され、安定したスイングを身につけやすい。つまり不必要なクラブのローリングなどが抑えられ、テイクバックを初めとして、ダウンスイングからフォローまでスイング全体が安定する。【００２８】    また、前記仮想シャフト付き練習用シャフトにおいては、クラブヘッドが無いため、ヘッド付きと比べ、不安定なバランスから解放され、正しいスイングを身につけ易い。特に手元側にウエイトを装着したものは、スイング時に先端側の慣性の影響を受けにくく、さらに効果が高い。【００２９】    さらに、その前記仮想シャフト先端付近にあえてオフセットしてウエイトを装着したもので練習すると、重心のコントロール性をさらに養うことができる。つまりシャフト上にしっかりと重心が乗った感覚を体感できるため、理想のスイングを身に付けやすい。【００３０】    またクラブヘッドの付いていないゴルフクラブのシャフト先端に、オフセットした状態でクラブヘッドを装着し実際にボールを打てるもので練習すると、通常のゴルフクラブよりさらに重心距離が長いため、スイング中に起こる様々な現象を体感しやすくなる。よって効果的にクラブのコントロール、つまり重心のコントロール性を身に付けることができる。【００３１】    また、スイング時に重心位置を常に視認できる練習具を使うことにより、重心コントロールをしやすくなる。ゴルフスイングにおいてテイクバックとダウンスイング時に、クラブが地面と平行になった時点で重心がシャフトの真上にきていることが理想である。前記練習具によりスイングのチェックが簡単にできる。
【発明を実施するための最良の形態】
【００３２】    図５は本発明の第１実施例を示す。図５に示すようにゴルフクラブに前記仮想シャフトが装着される。前記仮想シャフトの一方はスイートスポットから重心付近を、他方はクラブを握る手元を指している。この他図６に示すように前記仮想シャフトを、スイートスポットから飛球線の前方向ボール１個分程度先に、前記仮想シャフトのクラブヘッド側端部が来るようにセットすると、ハンドファーストの構えとなる。【００３３】    次に図７に示すように、ボールではなく練習用マットなどの上にボール大の印をつけておき、それをボールだと思いスイングをしてみる。その際大切なことは、あくまでも前記仮想シャフトのクラブヘッド側端部をその前記ボールに見立てた印の上を通過させることである。これが練習となる。【００３４】    この練習を、正確に前記仮想シャフトのクラブヘッド側端部で前記ボールに見立てた印の上を通過させられるようになるまで続けた後、通常のゴルフクラブで実際にボールを打ってみる。するとこれまで以上に正確に、しかも簡単にボールをジャストミートすることができる。【００３５】    また前記仮想シャフトの長さを調節することによって、前記仮想シャフトを装着したままでボールを打つことも可能である。【００３６】    この練習に入る前に、ゴルフクラブのヘッドの付いていない状態のシャフトのようなもので、前記練習用マットにつけた印の上をスイングできるようにしておくと、さらに効果が上がる。なぜならゴルフ経験者でも、シャフトの先端でボールを正確に打つことに慣れていないからである。この場合、前期練習用マットにつけた印の替わりに、ゴムティーなどを目標としても良い。【００３７】    この事前の練習用として、図８に示すように両端がゴルフグリップになっている前記練習用シャフト、及び図２０に示すようにクラブヘッドの付いていないゴルフクラブのシャフトに沿って、所定の長さの仮想シャフトが装着してある前記仮想シャフト付き練習用シャフトも提供する。バランスや重量の面でも理想の事前練習具である。以上が本発明の要旨である。【００３８】    そして以下には本発明のその他の実施例を上げる。【００３９】    実施例のポイントは（１）前記仮想シャフトが固定式か脱着式か（２）前記仮想シャフトのバリエーション（３）実際にボールを打つことが可能か不可能か（４）脱着式の場合の固定具のバリエーションの４点と、前記事前練習用シャフト、及び前記仮想シャフト付き練習用シャフトである。【００４０】    そして（１）と（２）と（３）は全ての組み合わせが可能である。また（２）と（３）と（４）も全ての組み合わせが可能である。（３）については前記仮想シャフトのクラブヘッド側端部の長さを短くするか、前記固定具の位置を変え、クラブヘッドから退避させることで可能となる。よって本発明の第２実施例以降は前記仮想シャフトのバリエーションと前記固定具のバリエーションを示すことで実施事例とする。【００４１】    最初に前記仮想シャフトのバリエーションから上げる。まずは前記仮想シャフトがパイプ状の形態である場合である。先に示した図５の第１実施実例がこれである。材質は金属、プラスチィック、カーボンなどが考えられる。【００４２】    次に図９に第２実���実例を示す。前記仮想シャフトが伸縮可能なものである。【００４３】    次に図１０に第３実施事例を示す。前記仮想シャフトがひも状の形態である。ゴムひも、糸ひも、ロープ、スプリング、針金などが考えられる。【００４４】    次に図１１に第４実施事例を示す。前記仮想シャフトに光線を利用した形態である。レーザー光線、ライトの光などである。【００４５】    次に前記仮想シャフトとゴルフクラブとの前記固定具のバリエーションである。この前記固定具は、（あ）ゴルフクラブのシャフト側の固定部と（い）仮想シャフト側の固定部から成る。そして同時に前記仮想シャフトの角度調節機能も兼ね備えたものである。（あ）と（い）は全ての組み合わせが可能である。【００４６】    まずは前記シャフト側の固定具のバリエーションを上げる。図１２、図１３に第５実施事例を示す。金具やプラスチィックなどを使ってねじなどで締め付け固定する形態である。【００４７】    次に図１４、図１５、図１６に第６実施事例を示す。クラブシャフトがテーパー状であることを利用して、取り付け具も切れ込みのあるテーパーになった筒状の形にしておき、スライドさせることで固定する方法。同形状のゴムなどを挟み込み滑り止めとする。【００４８】    次に前記仮想シャフト側の固定具のバリエーションを上げる。図１６、図１７、図１８に第７実施事例を示す。前記仮想シャフトがパイプの場合、それを固定するためにＵ字状のボルトや、パイプの径に合わせて曲げてあるプレートなどで固定したり、文具にあるようなクリップ状のもので挟んで固定する。またそれらは容易に角度の調節ができる。【００４９】    次に図１９に第８実施事例を示す。前記仮想シャフトがひも状の物の場合、ひも状の前記仮想シャフトの両端にフックをつけておく。そして取り付け具側には穴を数個あけて置きその穴に両端のフックをかけたり縛ったりして固定する。またフックをかける穴を変えることで、ひも状の前記仮想シャフトとゴルフクラブとの角度が変えられる。【００５０】    そして上記以外の場合も、その前記仮想シャフトが固定できるようにし、その際必ず角度調節機能を備える。また左打ち用も全て右打ち用と同様である。【００５１】    次に図２０に第９実施事例となる前記仮想シャフト付き練習用シャフトを示す。図２０に示すように、クラブヘッドの付いていないゴルフクラブのシャフトに沿って、所定の長さの仮想シャフトを装着し、前記仮想シャフトの両端は一方が手元、他方が本来なら付いているクラブヘッドのスイートスポットから重心付近を指している。そして、前記仮想シャフト先端には、衝撃を吸収するためのゴムなどの干渉具を備える。【００５２】    また、前記仮想シャフト先端に視覚に訴えるマークを備え、当該マークは、発光体、反射テープ、蛍光塗料の塗布体の少なくともいずれかからなり、マークによりスイング軌道が視認できるものもある。【００５３】    次に図２１に第１０実施例をあげる。前記仮想シャフト及び前記ゴルフクラブシャフト先端に、取り外し可能であるウエイトを備え、前記ウエイトの重さを調節することで、バランスを変えて練習ができる前記仮想シャフト付き練習用シャフトである。また前記ゴルフクラブシャフト手元側には、先端よりも��ランスが重くなるようにウエイトが装着されている。【００５４】    次に図２２に第１１実施例をあげる。前記仮想シャフト先端付近に、前記仮想シャフト中心軸からオフセットした位置にウエイトを備え、重心のコントロール性を高めるスイングを身につける練習ができる前記仮想シャフト付き練習用シャフトである。【００５５】    次に図２３に第１２実施例をあげる。クラブヘッドの付いていないゴルフクラブのシャフト先端に、オフセットした状態でクラブヘッドを装着し実際にボールを打てるものである。そしてそのオフセットの距離は任意に調節できる。つまり前記クラブヘッドの付いていないゴルフクラブのシャフトの中心軸から、重心までの距離を変えて練習ができる。【００５６】    次に図２４に第１３実施例をあげる。数センチメートル程度の棒を備え、ゴルフクラブのシャフトの先端付近に前記シャフトとほぼ垂直となるように取り付け、その先端はヘッドの重心上を指すことで、ヘッドの重心位置と重心角を視認できる練習具。【００５７】    次の図２５の第１４実施例は第１３実施例をシールにより代用するものである。特にウッド系のクラブにおいては手軽で有効である。
【図面の簡単な説明】
【００５８】
【図１】ゴルフクラブとスイートスポット
【図２】箸
【図３】箸
【図４】箸
【図５】仮想シャフトを装着した練習用クラブの側面図
【図６】仮想シャフトを装着した練習用クラブの正面図
【図７】練習用マット
【図８】練習用シャフト
【図９】伸縮する仮想シャフト
【図１０】ひも状の仮想シャフト
【図１１】光を利用した仮想シャフト
【図１２】ねじで締め付けて固定するクラブシャフト固定具
【図１３】ねじで締め付けて固定するクラブシャフト固定具
【図１４】テーパーを利用して固定するクラブシャフト固定具
【図１５】テーパーを利用して固定するクラブシャフト固定具
【図１６】ねじで締め付けて固定する仮想シャフト固定具
【図１７】ねじで締め付けて固定する仮想シャフト固定具
【図１８】スプリングなどの力で挟んで固定する仮想シャフト固定具
【図１９】フックをかけるための穴などを有する仮想シャフト固定具
【図２０】仮想シャフト付き練習用シャフト
【図２１】取り外し可能なウエイト
【図２２】クラブコントロール養成練習用シャフト
【図２３】クラブコントロール養成練習用クラブ
【図２４】重心位置表示具
【図２５】重心位置表示シール
【符号の説明】
【００５９】１ゴルフクラブ
２ゴルフクラブシャフト
３ゴルフクラブヘッド
４ゴルフクラブグリップ
５スイートスポット
６箸
７仮想シャフト
８練習用シャフト
９固定具
１０滑り止めゴム
１１シャフト固定部
１２仮想シャフト固定部
１３緩衝具
１４ウエイト
１５コントロールウエイト
１６調節ねじ
１７重心
１８重心表示具
１９シール
【図１】
2006326269.tif 000003
【図２】
2006326269.tif 000004
【図３】
2006326269.tif 000005
【図４】
2006326269.tif 000006
【図５】
2006326269.tif 000007
【図６】
2006326269.tif 000008
【図７】
2006326269.tif 000009
【図８】
2006326269.tif 000010
【図９】
2006326269.tif 000011
【図１０】
2006326269.tif 000012
【図１１】
2006326269.tif 000013
【図１２】
2006326269.tif 000014
【図１３】
2006326269.tif 000015
【図１４】
2006326269.tif 000016
【図１５】
2006326269.tif 000017
【図１６】
2006326269.tif 000018
【図１７】
2006326269.tif 000019
【図１８】
2006326269.tif 000020
【図１９】
2006326269.tif 000021
【図２０】
2006326269.tif 000022
【図２１】
2006326269.tif 000023
【図２２】
2006326269.tif 000024
【図２３】
2006326269.tif 000025
【図２４】
2006326269.tif 000026
【図２５】
2006326269.tif 000027